(57)【要約】【課題】長期的な観点に立った場合における有用性に優れ、建物内の種々の通路に適用できる汎用性の高い通路用家具と、その通路用家具が配置された部屋の構造を提供することを目的とする。【解決手段】一方の領域２と他方の領域３とを結ぶ通路４の周囲に設置され、必要に応じて当該通路４を塞ぐ通路用家具１０が、通路４の周囲に配置される収容部１１と、収容部１１に対して、当該収容部１１と通路４との間で出し入れ自在に収容される家具本体１２と、を備える。そして、収容部１１と家具本体１２のうち少なくとも一方は、物品Ｂ１，Ｂ２を収納するための収納部１１ａ，１２ａを有する。【選択図】図１
2015188599.tif 000002
【特許請求の範囲】
【請求項１】
一方の領域と他方の領域とを結ぶ通路の周囲に設置され、必要に応じて当該通路を塞ぐ通路用家具において、
前記通路の周囲に配置される収容部と、
前記収容部に対して、当該収容部と前記通路との間で出し入れ自在に収容される家具本体と、を備えており、
前記収容部と前記家具本体のうち少なくとも一方は、物品を収納するための収納部を有することを特徴とする通路用家具。
【請求項２】
請求項１に記載の通路用家具において、
当該通路用家具は薄型家具であり、
前記収容部は、前記通路の周囲の垂直面に対して固定され、
当該収容部と前記家具本体は、当該家具本体が前記収容部に対して出し入れ自在な状態で係合していることを特徴とする通路用家具。
【請求項３】
請求項１または２に記載の通路用家具において、
前記家具本体は、前記収容部に対して、当該収容部と前記通路との間で出し入れされる際にスライド移動することを特徴とする通路用家具。
【請求項４】
請求項１または２に記載の通路用家具において、
前記家具本体は、前記収容部に対して、当該収容部と前記通路との間で出し入れされる際に回転移動することを特徴とする通路用家具。
【請求項５】
請求項１に記載の通路用家具において、
前記収容部は、当該収容部の配置箇所と前記通路との間で回転移動可能に構成されており、
前記家具本体は、前記収容部に対して、当該収容部と前記通路との間で出し入れされる際にスライド移動することを特徴とする通路用家具。
【請求項６】
請求項１〜５のいずれか一項に記載の通路用家具において、
前記家具本体は、
当該家具本体の内部に設けられ、かつ当該家具本体の通路側端面に開口して形成される補助収容部と、
前記補助収容部に対して出し入れ自在に収容され、当該家具本体の総幅員を延長させるための延長部と、を有することを特徴とする通路用家具。
【請求項７】
請求項１〜６のいずれか一項に記載の通路用家具において、
鉛直状態から水平状態に回転させることで使用される作業台を備えることを特徴とする通路用家具。
【請求項８】
請求項１〜７のいずれか一項に記載の通路用家具が設置されてなる部屋の構造であって、
一方の領域と、他方の領域と、当該一方の領域と他方の領域とを結ぶ通路と、を備えており、
前記通路用家具の前記収容部は、前記通路の周囲に配置され、
前記家具本体は、前記収容部から出されて前記通路を塞ぐ際に前記通路と直交して配置されることを特徴とする部屋の構造。
【請求項９】
請求項８に記載の部屋の構造において、
前記通路用家具は、前記通路の周囲に、当該通路を挟んで複数配置されていることを特徴とする部屋の構造。
【発明の詳細な説明】
【技術分野】
【０００１】
本発明は、必要に応じて通路を塞ぐ通路用家具と、通路用家具が配置された部屋の構造に関する。
【背景技術】
【０００２】
近年、対面式のキッチンが多くの住宅で採用されている。この対面式キッチンは、キッチンとダイニングルームとを、通路部分を残してカウンターで仕切り、このカウンターに面して流し台を配置した構造であり、調理者は、調理を行いながらカウンター越しにダイニングルームにいる家族とのコミュニケーションを図ることができるという利点を有している。そして、このような対面式キッチンにおいては、移動の利便性を考慮して、カウンター脇の通路部分に、通常、建具などの間仕切りが設けられていない構成となっている。しかしながら、屋内でペットを飼っている家庭や、幼児のいる家庭においては、キッチンに間仕切りが設けられていないと、調理中にペットや幼児がキッチンに入るため安全上の問題があった。また、ペットが自由にキッチンに入ることができると衛生上好ましくない。
そこで、キッチンとダイニングルームを結ぶ通路を塞ぐ柵を備え、かつ当該柵が内部に収納可能とされたキッチンカウンターに係る技術が知られている（特許文献１参照）。
【先行技術文献】
【特許文献】
【０００３】
【特許文献１】特開２０００−２２９０１７号公報
【発明の概要】
【発明が解決しようとする課題】
【０００４】
ところが、従来のような柵は、単にペットや幼児がキッチンに進行することを制限する機能しか有していないため、例えば子供が成長した後などの使い道が無く、長期的な観点に立った場合の有用性に乏しいという問題があった。そこで、ペットや幼児の進行を制限する機能だけでなく他の機能も併せ持ち、進行を制限する機能を使用しなくなった後も他の機能を日常的に使用できる有用性の高い技術の開発が望まれていた。
また、キッチンとダイニングルームを結ぶ通路だけに適用できるものではなく、建物内のその他の通路にも適用できるような汎用性の高い技術が求められていた。
【０００５】
本発明の課題は、長期的な観点に立った場合における有用性に優れ、建物内の種々の通路に適用できる汎用性の高い通路用家具と、その通路用家具が配置された部屋の構造を提供することを目的とする。
【課題を解決するための手段】
【０００６】
請求項１に記載の発明は、例えば図１〜図１１に示すように、一方の領域２と他方の領域３とを結ぶ通路４の周囲に設置され、必要に応じて当該通路４を塞ぐ通路用家具１０において、
前記通路４の周囲に配置される収容部１１と、
前記収容部１１に対して、当該収容部１１と前記通路４との間で出し入れ自在に収容される家具本体１２と、を備えており、
前記収容部１１と前記家具本体１２のうち少なくとも一方は、物品Ｂ１，Ｂ２を収納するための収納部１１ａ，１２ａを有することを特徴とする。
【０００７】
請求項１に記載の発明によれば、収容部１１から家具本体１２を出し入れし、当該家具本体１２によって一方の領域２と他方の領域３とを結ぶ通路４を必要に応じて塞ぐことができる。すなわち、例えばペットや幼児が一方の領域２から他方の領域３に進行することを防止できる。また、ペットや幼児の進行を制限する機能だけでなく、収容部１１と家具本体１２のうち少なくとも一方は、物品Ｂ１，Ｂ２を収納するための収納部１１ａ，１２ａを有するので、進行を制限する機能を使用しなくなった後も、収納部１１ａを日常的に使用できる。これによって、長期的な観点に立った場合における有用性に優れる。
また、収容部１１を一方の領域２と他方の領域３とを結ぶ通路４の周囲に配置すれば、収容部１１に収容された家具本体１２によって当該通路４を塞ぐことができるので、住宅等の建物内において一方の領域２と他方の領域３とこれらを結ぶ通路４のある場所であれば、どのような場所にも適用できて汎用性が高い。
【０００８】
請求項２に記載の発明は、例えば図２〜図４に示すように、請求項１に記載の通路用家具１０において、当該通路用家具１０は薄型家具であり、
前記収容部１１は、前記通路４の周囲の垂直面（例えばシステムキッチン５の側面）に対して固定され、
当該収容部１１と前記家具本体１２は、当該家具本体１２が前記収容部１１に対して出し入れ自在な状態で係合していることを特徴とする。
【０００９】
請求項２に記載の発明によれば、通路用家具１０は薄型家具であるので、通路４の周囲に設置しても通行の妨げとなりにくい。そして、薄型家具である通路用家具１０の収容部１１が、通路４の周囲の垂直面に固定されているので、通路用家具１０単体では自立が困難であっても、当該通路用家具１０を通路４の周囲に確実に設置することができる。
また、収容部１１と家具本体１２は、当該家具本体１２が収容部１１に対して出し入れ自在な状態で係合しているので、家具本体１２を、収容部１１から離間しないようにしながら当該収容部１１に対して出し入れすることができる。そのため、家具本体１２の出し入れがしやすい。
【００１０】
請求項３に記載の発明は、例えば図１〜図６，図９〜図１１に示すように、請求項１または２に記載の通路用家具１０において、
前記家具本体１２は、前記収容部１１に対して、当該収容部１１と前記通路４との間で出し入れされる際にスライド移動することを特徴とする。
【００１１】
請求項３に記載の発明によれば、家具本体１２は、収容部１１に対して、当該収容部１１と通路４との間で出し入れされる際にスライド移動するので、収容部１１を、一方の領域２と他方の領域３と通路４を含む周囲の構造に合わせて適宜配置できる。すなわち、建物内において、家具本体１２がスライド移動するタイプの通路用家具１０に適した場所であれば、その場所に当該通路用家具１０を設置することができるので、汎用性が高い。
【００１２】
請求項４に記載の発明は、例えば図５に示すように、請求項１または２に記載の通路用家具３０において、
前記家具本体３２は、前記収容部３１に対して、当該収容部３１と前記通路３４との間で出し入れされる際に回転移動することを特徴とする。
【００１３】
請求項４に記載の発明によれば、家具本体３２は、収容部３１に対して、当該収容部３１と通路２４ａとの間で出し入れされる際に回転移動するので、収容部３１を、一方の領域２と他方の領域３と通路４を含む周囲の構造に合わせて適宜配置できる。すなわち、建物内において、家具本体３２が回転移動するタイプの通路用家具３０に適した場所であれば、その場所に当該通路用家具３０を設置することができるので、汎用性が高い。
【００１４】
請求項５に記載の発明は、例えば図１１に示すように、請求項３に記載の通路用家具１１０において、
前記収容部１１１は、当該収容部１１１の配置箇所（例えば凹部１０２ｃ）と前記通路１０４との間で回転移動可能に構成されており、
前記家具本体１１２は、前記収容部１１１に対して、当該収容部１１１と前記通路１０４との間で出し入れされる際にスライド移動することを特徴とする。
【００１５】
請求項５に記載の発明によれば、収容部１１１は、当該収容部１１１の配置箇所と通路１０４との間で回転移動可能に構成されているので、収容部１１１自体を、通路１０４を塞ぐ用途で使用することができる。また、家具本体１１２は、回転移動する収容部１１１に対して、当該収容部１１１と通路１０４との間で出し入れされる際にスライド移動させることができる。これによって、収容部１１１と家具本体１１２とで通路１０４や、通路１０４の付近（例えば柵状の手摺１０２ａの隙間）を塞いだり、覆ったりすることができるようになり、家具本体１１２だけで通路１０４を塞ぐよりも、より広い範囲で通路１０４を塞ぐことができる。
【００１６】
請求項６に記載の発明は、例えば図６に示すように、請求項１〜５のいずれか一項に記載の通路用家具６０において、
前記家具本体６２は、
当該家具本体６２の内部に設けられ、かつ当該家具本体６２の通路側端面に開口して形成される補助収容部６３と、
前記補助収容部６３に対して出し入れ自在に収容され、当該家具本体６２の総幅員を延長させるための延長部６４と、を有することを特徴とする。
【００１７】
請求項６に記載の発明によれば、家具本体６２は、家具本体６２の通路側端面に開口して形成される補助収容部６３と、この補助収容部６３に対して出し入れ自在に収容され、当該家具本体６２の総幅員を延長させるための延長部６４とを有するので、延長部６４を補助収容部６３から出せば、幅広の通路２４ｂに対して適用させることができる。
【００１８】
請求項７に記載の発明は、例えば図７に示すように、請求項１〜６のいずれか一項に記載の通路用家具７０において、
鉛直状態から水平状態に回転させることで使用される作業台７３，７４，７５を備えることを特徴とする。
【００１９】
請求項７に記載の発明によれば、鉛直状態から水平状態に回転させることで使用される作業台７３，７４，７５を備えるので、通路の周囲または通路上で作業台７３，７４，７５を使用することができる。すなわち、ペットや幼児の進行を制限する機能を使用しなくなった後も、作業台７３，７４，７５を日常的に使用できるので、長期的な観点に立った場合における有用性に優れる。
【００２０】
請求項８に記載の発明は、例えば図１，図５，図９〜図１１に示すように、請求項１〜７のいずれか一項に記載の通路用家具１０が設置されてなる部屋１の構造であって、
一方の領域２と、他方の領域３と、当該一方の領域２と他方の領域３とを結ぶ通路４と、を備えており、
前記通路用家具１０の前記収容部１１は、前記通路４の周囲に配置され、
前記家具本体１２は、前記収容部１１から出されて前記通路４を塞ぐ際に前記通路４と直交して配置されることを特徴とする。
【００２１】
請求項８に記載の発明によれば、通路用家具１０の収容部１１は、通路４の周囲に配置され、家具本体１２は、収容部１１から出されて通路４を塞ぐ際に通路４と直交して配置されるので、家具本体１２によって一方の領域２と他方の領域３とを結ぶ通路４を必要に応じて塞ぐことができる。すなわち、例えばペットや幼児が一方の領域２から他方の領域３に進行することを防止できる。また、ペットや幼児の進行を制限する機能だけでなく、収容部１１と家具本体１２のうち少なくとも一方は、物品Ｂ１，Ｂ２を収納するための収納部１１ａ，１２ａを有するので、進行を制限する機能を使用しなくなった後も、収納部１１ａ，１２ａを日常的に使用できる。これによって、長期的な観点に立った場合における有用性に優れる。
また、収容部１１を一方の領域２と他方の領域３とを結ぶ通路４の周囲に配置すれば、収容部１１に収容された家具本体１２によって当該通路４を塞ぐことができるので、建物内において一方の領域２と他方の領域３とこれらを結ぶ通路４のある場所であれば、どのような場所にも適用できて汎用性が高い。
【００２２】
請求項９に記載の発明は、例えば図５に示すように、請求項８に記載の部屋の構造において、
前記通路用家具４０，５０は、前記通路２４ｂの周囲に、当該通路２４ｂを挟んで複数配置されていることを特徴とする。
【００２３】
請求項９に記載の発明によれば、通路用家具４０，５０は、通路２４ｂの周囲に、当該通路２４ｂを挟んで複数配置されているので、通路２４ｂが幅広であっても、複数の通路用家具４０，５０によって確実に塞ぐことができる。
【発明の効果】
【００２４】
本発明によれば、ペットや幼児の進行を制限する機能を使用しなくなった後も、通路用家具を日常的に使用できるので、長期的な観点に立った場合における有用性に優れ、さらに、建物内において一方の領域と他方の領域とこれらを結ぶ通路のある場所であれば、どのような場所にも適用できて汎用性が高い。
【図面の簡単な説明】
【００２５】
【図１】家具本体がスライド移動するタイプの通路用家具が設置されたキッチンルームを示す斜視図である。
【図２】家具本体がスライド移動するタイプの通路用家具の一面側を示す斜視図である。
【図３】同、他面側を示す斜視図である。
【図４】同、断面図である。
【図５】家具本体が回転移動するタイプの通路用家具と、セットで用いられる複数の通路用家具とが設置されたキッチンルームを示す斜視図である。
【図６】延長部を有するタイプの通路用家具を示す斜視図である。
【図７】家具本体を出した状態で保持するためのストッパーを示す斜視図である。
【図８】作業台を備えたタイプの通路用家具を示す斜視図である。
【図９】家具本体がスライド移動するタイプの通路用家具が設置された階段下り口付近を示す斜視図である。
【図１０】同、階段下り口付近を別の角度から見た場合の斜視図である。
【図１１】収容部が回転移動し、家具本体がスライド移動するタイプの通路用家具が設置された階段下り口付近を示す斜視図である。
【図１２】家具本体がスライド移動するタイプの通路用家具が階段ホールの手摺として設置された階段下り口付近を示す斜視図である。
【発明を実施するための形態】
【００２６】
以下、図面を参照して本発明の実施の形態について説明する。
【００２７】
〔第１実施例〕
図１において符号１は、建物内の部屋を示す。この部屋１は、リビングルーム（図示せず）とダイニングルーム２とキッチンルーム３の機能を一室に併存させた居室である。また、当該部屋１において一方の領域と他方の領域との間には、これらの領域を結ぶ通路４がある。ここで、一方の領域とはダイニングルーム２を指し、他方の領域とはキッチンルーム３を指す。
そして、ダイニングルーム２とキッチンルーム３とを結ぶ通路４の周囲に、必要に応じて当該通路４を塞ぐ薄型家具の通路用家具１０が設置されている。
ここで、薄型家具とは、幅方向の長さと奥行方向の長さとの相違が大きく、かつ通路４を塞いでペットや幼児等の進行を制限できる程度の高さに設定されたものを指す。さらに説明を付加すると、当該薄型家具を単体で床に置いた場合に、広い側面側から力を加えると簡単に倒れてしまうような家具を指すものとする。
【００２８】
ダイニングルーム２はキッチンルーム３に隣接しており、図示はしないが、例えばダイニングテーブル・チェア等の家具や物品が配置されている。
【００２９】
キッチンルーム３はダイニングルーム２に隣接しており、図１に示すように、キッチン用の家具や物品が配置されている。
より詳細に説明すると、キッチンルーム３は、通路４と部屋１の壁１ａとの間において人が調理等の作業を行うための通路４と連続する作業スペース３ａを有しており、当該作業スペース３ａの両脇に家具等が配置されている。
【００３０】
作業スペース３ａのダイニングルーム側には、システムキッチン５（コンロ付き流し台、キッチン台等とも言う）が配置されている。当該システムキッチン５は、複数の箱状家具が連結されて組み合わされ、ワークトップにコンロやシンク等が配置されたものであり、各箱状家具の内部は収納として用いられる。
また、システムキッチン５は、部屋１の壁１ａに当接固定されて当該壁１ａから突出するように設けられた、いわゆるペニンシュラ型のキッチン台である。
【００３１】
システムキッチン５の背面側（ダイニングルーム側）には、壁１ａから突出する袖壁１ｂと、上面がカウンターとなった収納棚６とが設けられている。また、袖壁１ｂはシステムキッチン５のコンロのある箇所とダイニングルーム２とを仕切っており、その上部には、システムキッチン５とセットで用いられる換気扇装置５ａが取り付けられている。
【００３２】
作業スペース３ａのダイニングルーム２とは反対側には、壁１ａと直交する壁１ｃに沿って、カップボード７と、冷蔵庫８と、これらカップボード７と冷蔵庫８との間の隙間に設けられる隙間収納家具９と、が配置されている。
【００３３】
以上のような構成の部屋１において、通路４は、ダイニングルーム２からキッチンルーム３の作業スペース３ａに進行する過程で必ず通過する箇所付近を指している。本実施例では、作業スペース３ａのうち壁１ａ側とは反対側の端部と、冷蔵庫８および隙間収納家具９の前方（ダイニングルーム２側）付近と、を指しているものとする。
また、通路４は、ダイニングルーム２と作業スペース３ａとを往来する箇所の付近であるため、作業スペース３ａに進行する方向や、作業スペース３ａから出ていく方向が略一定である（本実施例では作業スペース３ａの長さ方向）。
【００３４】
部屋１に設置される通路用家具１０は、図１〜図４に示すように、通路４の周囲に配置される収容部１１と、収容部１１に対して、当該収容部１１と通路４との間で出し入れ自在に収容される家具本体１２と、を備える。
そして、通路用家具１０は、システムキッチン５における壁１ａとは反対側の側面（垂直面）に取り付けられている。すなわち、当該通路用家具１０の一面側１０ａは通路４側（またはダイニングルーム２側）を向いて露出され、他面側１０ｂは取付側面であり、システムキッチン５の側面（垂直面）に当接固定される。より詳細には、収容部１１がシステムキッチン５の側面である垂直面に当接固定されている。
また、このように取り付けられる通路用家具１０は、作業スペース３ａにおける壁１ａとは反対側の端部に位置することになる。そして、家具本体１２は、収容部１１から出されて通路４を塞ぐ際に当該通路４と直交して配置される。すなわち、通路４を塞いでいる際の家具本体１２は、作業スペース３ａの長さ方向と直交するような配置となっている。
【００３５】
収容部１１は木製で、かつ箱状に形成されており、通路用家具１０自体の上面および下面、一面側１０ａおよび他面側１０ｂ、背面（ダイニングルーム側面）を構成している。
さらに、収容部１１は、通路４側すなわち壁１ｃ側（カップボード７・冷蔵庫８・隙間収納家具９が設けられた側）に開口している。そして、この開口の内部側の空洞に家具本体１２が出し入れ自在に収容されている。
【００３６】
家具本体１２は木製で、かつ垂直に立たせた板材１２ｂを主体として形成されており、通路４に向って設けられた正面板１２ｃを除いた部分が収容部１１の空洞内に収容される。
そして、収容部１１と家具本体１２は、当該家具本体１２が収容部１１に対して出し入れ自在な状態で係合している。さらに、家具本体１２は、収容部１１に対して、収容部１１と通路４との間で出し入れされる際にスライド移動するように構成されている。
より詳細には、板材１２ｂと、収容部１１において通路用家具１０自体の他面側１０ｂを構成する板材との間にスライド手段が設けられている。このスライド手段は、他面側１０ｂを構成する板材に固定されたレール１３ａと、板材１２ｂに固定されるとともにレール１３ａにスライド自在に係合する係合部１３ｂと、を有する。
なお、本実施例においてはスライド手段が、板材同士の側面間に設けられた状態となっているが、これに限られるものではなく、ある程度の厚みを有する収容部と家具本体とであれば、その上面や下面にスライド手段を設けるようにしてもよい。換言すれば、収容部および家具本体に対するスライド手段の位置は、特に限定されるものではない。
【００３７】
また、収容部１１と家具本体１２のうち少なくとも一方は、物品Ｂ１，Ｂ２を収納するための収納部１１ａ，１２ａを有する。なお、本実施例においては収容部１１と家具本体１２の双方に収納部１１ａ，１２ａがある。
本実施例の収納部１１ａは例えばブックスタンドであり、このような収納部１１ａには新聞や雑誌等の物品Ｂ１を露出させた状態で、かつ立て掛けるようにして収納することができる。
本実施例の収納部１２ａは例えばブックスタンドであり、このような収納部１２ａにはレシピ本等の物品Ｂ２を露出させない状態で、かつ立て掛けるようにして収納することができる。収納部１２ａは、前記スライド手段を避けて設けられている。
なお、本実施例では収納部１１ａ，１２ａとしてブックスタンドを採用したが、これに限られるものではない。収納される物品についても、雑誌や本だけでなく、その他の物品（例えば調味料等）等でもよい。
【００３８】
以上のような構成の通路用家具１０によって通路４を塞ぐ際は、家具本体１２を収容部１１から引き出してスライド移動させ、通路４と直交させるように配置する。
なお、家具本体１２は、収容部１１に対して、当該家具本体１２の正面板１２ｃが対向する隙間収納家具９に近接する位置まで引き出すことができる。ただし、家具本体１２を引き出した際に、隙間収納家具９に接触することは好ましくないため、例えば床面等に適宜ストッパーを設けることが望ましい。さらに当該ストッパーは、安全上および見映えの面で、収容部１１の空洞内に設けられることが望ましい。
また、例えば、家具本体１２の下面にキャスター等を取り付けて、スムーズに移動できるようにしてもよい。
【００３９】
また、本実施例では、一方の領域をダイニングルーム２とし、他方の領域をキッチンルーム３とした部屋１１に対して通路用家具１０を設置したが、これに限られるものではない。その他にも例えば、階段の下り口付近や、玄関の上がり框付近等、通路のある様々な場所に設置することができる。
また、通路用家具１０の機能は、主としてペットや幼児がキッチンに進行することを制限するものであるが、通路４を進行し得る種々のものを対象とすることができる。そのような対象として例えば、いわゆるロボット掃除機や、空調機から送り出された風等も含むものとする。
【００４０】
〔第２実施例〕
次に、図面を参照して第２実施例について説明する。なお、説明の便宜上、上述した第１実施例とは異なる構成部分のみについて説明する。
より詳細には、本実施例においては、一方の領域と他方の領域とを結ぶ通路の周囲に設置される通路用家具自体の他の例について説明する。
【００４１】
図５に示す部屋２１において、一方の領域はダイニングルーム２とされ、他方の領域はキッチンルーム３とされている。そして、ダイニングルーム２とキッチンルーム３との間に位置するようにして、システムキッチン２５が配置されている。
システムキッチン２５は、部屋２１の壁２１ａから離間して配置された、いわゆるアイランド型のキッチン台である。
【００４２】
部屋２１に設置されたシステムキッチン２５がアイランド型であるため、当該部屋２１において、ダイニングルーム２からキッチンルーム３の作業スペース３ａに進行する過程で必ず通過する通路は、システムキッチン２５を回り込むようにして二通り形成される（通路２４ａ、通路２４ｂ）。
したがって、本実施例においては通路２４ａの周囲に設置される通路用家具３０について説明する。
【００４３】
本実施例の通路用家具３０は、通路２４ａの周囲に配置される収容部３１と、収容部３１に対して、当該収容部３１と通路２４ａとの間で出し入れ自在に収容される家具本体３２と、を備える。
そして、当該通路用家具３０は、システムキッチン２５の通路２４ａ側の側面に取り付けられている。すなわち、当該通路用家具３０の一面側は壁２１ａ側（または通路２４ａ側）を向いて露出され、他面側は取付側面であり、システムキッチン２５の側面（垂直面）に当接固定される。より詳細には、収容部３１がシステムキッチン２５の側面である垂直面に当接固定されている。
【００４４】
そして、家具本体３２は、収容部３１に対して、当該収容部３１と通路２４ａとの間で出し入れされる際に回転移動するように構成されている。
より詳細には、収容部３１と家具本体３２とが回転軸３３を介して連結されており、家具本体３２は、回転軸３３の軸回りに回転することによって収容部３１に対して出し入れされる。
回転軸３３は、収容部３１および家具本体３２の幅方向一端部（ダイニングルーム２側）に設けられており、家具本体３２は、通路２４ａを塞ぐ際にはダイニングルーム２側に向かって回転移動する。また、通路２４ａを塞いでいる際の家具本体３２は、通路２４ａと直交して配置される。
【００４５】
なお、本実施例においても、物品を収納するための収納部は、収容部３１と家具本体３２のうち少なくとも一方が有するものとする。収納部の形態も特に限定されるものではなく、例えば家具本体３２によって通路２４ａを塞いだ際に、収容部３１と家具本体３２のいずれか一方または両方に表れる収納部としてもよいし、通路２４ａを開放した状態の家具本体３２の表面に現れる収納部としてもよい。
【００４６】
以上のような構成の通路用家具３０によって通路２４ａを塞ぐ際は、家具本体３２を収容部３１から引き出して回転移動させ、通路２４ａと直交させるように配置する。
なお、家具本体３２を引き出した際に、必要以上に回転しないように、例えば床面や回転軸３３の付近等に適宜ストッパーを設けることが望ましい。
また、例えば、家具本体３２の下面にキャスター等を取り付けて、スムーズに移動できるようにしてもよい。
【００４７】
〔第３実施例〕
次に、図面を参照して第３実施例について説明する。なお、説明の便宜上、上述した各実施例とは異なる構成部分のみについて説明する。
より詳細には、本実施例では、図５に示す部屋２１の通路２４ｂの周囲に設置される通路用家具４０，５０について説明する。そして、本実施例の通路用家具４０，５０は、通路２４ｂの周囲に、当該通路２４ｂを挟んで複数配置されている。
なお、部屋２１のキッチンルーム３には、カップボード７と冷蔵庫８との間に隙間収納家具２９が設置されている。
【００４８】
通路用家具４０は、通路２４ｂの周囲に配置される収容部４１と、収容部４１に対して、当該収容部４１と通路２４ｂとの間で出し入れ自在に収容される家具本体４２と、を備える。また、家具本体４２は、収容部４１に対して、当該収容部４１と通路２４ｂとの間で出し入れされる際にスライド移動するように構成されている。さらに、収容部４１と家具本体４２は、当該家具本体４２が収容部４１に対して出し入れ自在な状態で係合している。すなわち、図示はしないが、収容部４１と家具本体４２との間に、第１実施例で記載したようなスライド手段（レール・係合部）が組み込まれた状態となっている。
そして、通路用家具４０は、システムキッチン２５における壁２１ａとは反対側の側面（垂直面）に取り付けられている。
すなわち、当該通路用家具４０は、第１実施例で挙げた通路用家具１０と同様の構成とされている。
【００４９】
通路用家具５０は、通路２４ｂの周囲に配置される収容部５１と、収容部５１に対して、当該収容部５１と通路２４ｂとの間で出し入れ自在に収容される家具本体５２と、を備える。また、家具本体５２は、収容部５１に対して、当該収容部５１と通路２４ｂとの間で出し入れされる際にスライド移動するように構成されている。さらに、収容部５１と家具本体５２は、当該家具本体５２が収容部５１に対して出し入れ自在な状態で係合している。すなわち、図示はしないが、収容部５１と家具本体５２との間に、第１実施例で記載したようなスライド手段（レール・係合部）が組み込まれた状態となっている。
より詳細に説明すると、当該通路用家具５０の収容部５１は、隙間収納家具２９に組み込まれた状態になっている。
隙間収納家具２９は箱状に形成されており、通路２４ｂに向かって開口している。また、上下方向に複数段に区切られており、最下段が収容部５１とされている。
【００５０】
通路用家具４０の家具本体４２における通路２４ｂ側面と、通路用家具５０の家具本体５２における通路２４ｂ側面とは、通路２４ｂを挟んで対向している。
したがって、これら複数の通路用家具４０，５０によって通路２４ｂを塞ぐ際は、双方の家具本体４２，５２を収容部４１，５１から引き出してスライド移動させ、通路２４ｂと直交させるように配置する。これにより、通路２４ｂの幅が、一つの家具本体４２（５２）の引き出し長さよりも長い場合に対応できる。
なお、双方の家具本体４２，５２を引き出した際に、互いに接触することは好ましくないため、適宜ストッパーを設けるか、双方の家具本体４２，５２の対向する面の少なくとも一方にクッション材を設けることが望ましい。
また、例えば、家具本体４２，５２の下面にキャスター等を取り付けて、スムーズに移動できるようにしてもよい。
【００５１】
〔第４実施例〕
次に、図面を参照して第４実施例について説明する。なお、説明の便宜上、上述した各実施例とは異なる構成部分のみについて説明する。
より詳細には、本実施例においては、一方の領域（例えばダイニングルーム）と他方の領域（例えばキッチンルーム）とを結ぶ通路の周囲に設置される通路用家具自体の他の例について説明する。
【００５２】
本実施例の通路用家具６０は、図６に示すように、通路の周囲に配置される収容部６１と、収容部６１に対して、当該収容部６１と通路との間で出し入れ自在に収容される家具本体６２と、を備える。また、家具本体６２は、収容部６１に対して、当該収容部６１と通路との間で出し入れされる際にスライド移動するように構成されている。さらに、収容部６１と家具本体６２は、当該家具本体６２が収容部６１に対して出し入れ自在な状態で係合している。すなわち、図示はしないが、収容部６１と家具本体６２との間に、第１実施例で記載したようなスライド手段（レール・係合部）が組み込まれた状態となっている。
そして、本実施例の通路用家具６０における家具本体６２は、補助収容部６３と、延長部６４と、を備える。
【００５３】
補助収容部６３は、家具本体６２の内部に設けられ、かつ当該家具本体６２の通路側端面に開口して形成されるものである。
延長部６４は、補助収容部６３に対して出し入れ自在に収容され、家具本体６２の総幅員を延長させるためのものである。
すなわち、家具本体６２には、図示はしないが自身の空洞をさらに仕切り板等で仕切ることによって、延長部６４を収容するための補助収容部６３が確保されている。
また、例えば第１実施例で記載したようなスライド手段を採用することによって、補助収容部６３と延長部６４は、当該延長部６４が補助収容部６３に対して出し入れ自在な状態で係合している。
【００５４】
以上のような構成の通路用家具６０によって通路を塞ぐ際は、家具本体６２を収容部６１から引き出してスライド移動させ、通路と直交させるように配置する。さらに、延長部６４を補助収容部６３から引き出してスライド移動させ、通路と直交させるように配置する。
なお、延長部６４を含む家具本体６２の総延長が通路の幅よりも長いと、延長方向にある壁やその他の家具に接触する場合があるため、適宜ストッパーを設けることが望ましい。
また、例えば、家具本体６２の下面にキャスター等を取り付けて、スムーズに移動できるようにしてもよい。
【００５５】
本実施例の通路用家具６０は、家具本体６２が収容部６１に対して出し入れ自在で、さらに延長部６４も補助収容部６３に対して出し入れ自在である。そのため、家具本体６２と延長部６４とを最大限延長させた場合の総延長は収容部６１の幅よりも長くなり、最大限延長させた際に例えばガタ付き等が生じる場合がある。
このような場合に対応するために、図７に示すように、家具本体６２と延長部６４のいずれか一方（または両方）に、戻り方向への移動を規制するロック機構６５を設けることが好ましい。
【００５６】
ロック機構６５は、家具本体６２（または延長部６４）の戻り方向と直交する横方向の回転軸６６ａを有するロック本体６６と、ロック本体６６が当接する被当接部６７と、を備える。ロック本体６６は、家具本体６２（または延長部６４）に対して設けられており、被当接部６７は、収容部６１（または補助収容部６３を含む家具本体６２）に対して取り付けられている。
そして、ロック本体６６は、一端部を押し込むことによって軸回りに回転し、他端部が突出するように構成されている。そのため、ロック機構６５によって家具本体６２（または延長部６４）の戻り方向への移動を規制する際は、一端部を押し込めば他端部が外方に突出し、家具本体６２（または延長部６４）を収容部６１（または補助収容部６３）側に戻そうとしても、突出した他端部が被当接部６７に当接する。これにより、家具本体６２（または延長部６４）の戻り方向への移動を規制することができる。
【００５７】
なお、ロック機構６５は、本実施例の通路用家具６０に適用するものとしたが、上記および下記の各実施例における通路用家具に適用してもよいものとする。すなわち、延長部６４のない通路用家具に用いた場合であっても、例えば幼児が家具本体を収容部に戻して通路を進行することを、たとえ一時的にでも抑止できるので安全上の面で望ましい。
【００５８】
〔第５実施例〕
次に、図面を参照して第５実施例について説明する。なお、説明の便宜上、上述した各実施例とは異なる構成部分のみについて説明する。
より詳細には、本実施例においては、一方の領域（例えばダイニングルーム）と他方の領域（例えばキッチンルーム）とを結ぶ通路の周囲に設置される通路用家具自体の他の例について説明する。
【００５９】
本実施例の通路用家具７０は、図８（ａ）に示すように、通路の周囲に配置される収容部７１と、収容部７１に対して、当該収容部７１と通路との間で出し入れ自在に収容される家具本体７２と、を備える。また、家具本体７２は、収容部７１に対して、当該収容部７１と通路との間で出し入れされる際にスライド移動するように構成されている。さらに、収容部７１と家具本体７２は、当該家具本体７２が収容部７１に対して出し入れ自在な状態で係合している。すなわち、図示はしないが、収容部７１と家具本体７２との間に、第１実施例で記載したようなスライド手段（レール・係合部）が組み込まれた状態となっている。
そして、当該通路用家具７０は、図８（ａ），（ｂ）に示すように、鉛直状態から水平状態に回転させることで使用される複数の作業台７３，７４，７５をさらに備える。
【００６０】
収容部７１は上下左右を囲む枠板と、左右の枠板間に架設される棚板とからなる箱状の収納棚として形成されている。また、当該収容部７１は、物品を収納するための収納部７１ａを有する。当該収納部７１ａは、前方に向かって開口している。なお、本実施例においては棚板が二枚であり、収納部７１ａは三つ形成されている。
作業台７３，７４，７５は、上端部が収容部７１側に回動自在に取り付けられており、鉛直状態において収納部７１ａの開口を覆っている。すなわち、作業台７３，７４，７５は、鉛直状態では収納部７１ａの開口を覆う蓋として機能する。
また、作業台７３，７４，７５は、上方に向かって回転移動させ、水平状態にすることで作業台として機能する。図示はしないが、作業台７３，７４，７５と収容部７１との間には、作業台７３，７４，７５を水平状態に保持するストッパーが設けられている。
【００６１】
このような形態の通路用家具７０は、家具本体７２によって通路を塞ぐ機能とともに、作業台７３，７４，７５による機能も発揮することができる。すなわち、作業台７３，７４，７５を子供の成長に合わせて対応できる机として機能させることができる。
より具体的に説明すると、下段の作業台７３は幼児期において使用することができ、中段の作業台７４は少年期の前半（例えば小学生１〜３年生）において使用することができ、上段の作業台７５は少年期の後半（例えば小学生４〜６年生）において使用することができる。
また、通路用家具７０がシステムキッチンの脇に設けられるのであれば、システムキッチンを使用する親の目が届きやすい場所で、子供に勉強等の作業を行わせることができる。
なお、システムキッチンの脇に通路用家具７０を設ける場合は、安全に考慮し、コンロ側ではなく、シンク側に通路用家具７０を設けることが望ましい。
また、例えば、家具本体７２の下面にキャスター等を取り付けて、スムーズに移動できるようにしてもよい。
【００６２】
（作業台を備える通路用家具の他の例）
図示はしないが、鉛直状態から水平状態に回転させることで使用される作業台を備える通路用家具の例は、上記のものに限られるものではない。
すなわち、例えば家具本体７２が、第１実施例における家具本体１２のごとく板材（板材１２ｂ）を有するものである場合に、家具本体７２の板材の上端部を回動自在に構成し、当該板材の上端部を作業台として使用できるようにする。
このような例の通路用家具によれば、家具本体７２の板材の上端部を鉛直状態（上方に立たせた状態）で収容部７１に収容し、収容部７１から引き出した際に、板材の上端部を回転させて倒し、水平状態にして作業台として使用できる。
【００６３】
〔第６実施例〕
次に、図面を参照して第６実施例について説明する。なお、説明の便宜上、上述した各実施例とは異なる構成部分のみについて説明する。
より詳細には、本実施例においては、図９，図１０に示すように、部屋として階段のある階段室８１を挙げ、一方の領域として、階段を上った先にある階段ホール８２を挙げ、他方の領域として、階段を昇降する者の身体が通過する階段空間８３を挙げる。また、一方の領域と他方の領域とを結ぶ通路として階段の下り口８４を挙げる。
すなわち、部屋である階段室８１は、一方の領域である階段ホール８２と、他方の領域である階段空間８３と、通路である階段の下り口８４と、を備える。そして、当該階段室８１には、通路用家具９０が設置されている。
【００６４】
また、階段室８１に隣接して部屋８５が配置されている。当該部屋８５の出入口８６は階段ホール８２に面して設けられている。
また、出入口８６と階段下り口８４との間には収納棚８７が設けられている。当該収納棚８７は、部屋８５の壁と一体的に、かつ部屋８５内に突出して箱状に形成されており、本実施例では階段ホール８２から使用できる階段ホール用の収納棚とされている。
さらに、階段ホール８２の側辺であって、階段下り口８４の脇（収納棚８７とは反対側）に柵状の手摺８２ａが設けられている。
【００６５】
本実施例の通路用家具９０は、階段下り口８４の周囲に配置される収容部９１と、収容部９１に対して、当該収容部９１と階段下り口８４との間で出し入れ自在に収容される家具本体９２と、を備える。また、家具本体９２は、収容部９１に対して、当該収容部９１と通路との間で出し入れされる際にスライド移動するように構成されている。さらに、収容部９１と家具本体９２は、当該家具本体９２が収容部９１に対して出し入れ自在な状態で係合している。すなわち、図示はしないが、収容部９１と家具本体９２との間に、第１実施例で記載したようなスライド手段（レール・係合部）が組み込まれた状態となっている。
【００６６】
そして、当該通路用家具９０は、収納棚８７の下部に組み込まれた状態となっている。換言すれば、収容部９１が収納棚８７の下部を構成している。
より具体的に説明すると、収容部９１は、図１０に示すように、収納棚８７の下部において壁を部屋８５側に凹ませたようにして形成された箇所を指しており、階段ホール８２側および階段下り口８４側に開口している。なお、当該収容部９１は、家具本体９２を収容可能な高さ・幅・奥行寸法に形成されている。
【００６７】
家具本体９２は、上下左右を囲む枠板と、左右の枠板間に架設される棚板とからなる箱状の収納棚として形成されている。また、当該家具本体９２は、物品を収納するための収納部９２ａを有する。当該収納部９２ａは前方に向かって開口している。なお、本実施例においては棚板が二枚であり、収納部９２ａは三つ形成されている。
【００６８】
以上のような構成の通路用家具９０によって階段下り口８４を塞ぐ際は、家具本体９２を収容部９１から引き出してスライド移動させ、階段下り口８４と直交させるように配置する。
なお、家具本体９２を引き出した際に、必要以上にスライドしないように、例えば床面等に適宜ストッパーを設けることが望ましい。
また、例えば、家具本体９２の下面にキャスター等を取り付けて、スムーズに移動できるようにしてもよい。
【００６９】
以上のような通路用家具９０は、家具本体９２によって階段下り口８４を塞げるように構成されているので、ペットや幼児等が階段下り口８４を通過して階段ホール８２から階段空間８３に進行することを制限できる。すなわち、階段を下りることを制限できる。
【００７０】
〔第７実施例〕
次に、図面を参照して第７実施例について説明する。なお、説明の便宜上、上述した各実施例とは異なる構成部分のみについて説明する。
より詳細には、本実施例においては、図１１に示すように、部屋として階段のある階段室１０１を挙げ、一方の領域として、階段を上った先にある階段ホール１０２を挙げ、他方の領域として、階段空間１０３を挙げる。また、一方の領域と他方の領域とを結ぶ通路として階段の下り口１０４を挙げる。
すなわち、部屋である階段室１０１は、一方の領域である階段ホール１０２と、他方の領域である階段空間１０３と、通路である階段の下り口１０４と、を備える。そして、当該階段室１０１には、通路用家具１１０が設置されている。
【００７１】
また、階段ホール１０２の側辺には、階段下り口１０４の脇に柵状の手摺１０２ａが設けられている。また、階段ホール１０２には壁１０２ｂが設けられており、当該壁１０２ｂと手摺１０２ａとの間に階段下り口１０４がある。
【００７２】
本実施例の通路用家具１１０は、階段下り口１０４の周囲に配置される収容部１１１と、収容部１１１に対して出し入れ自在に収容される家具本体１１２と、を備える。また、家具本体１１２は、収容部１１１に対して出し入れされる際にスライド移動するように構成されている。さらに、収容部１１１と家具本体１１２は、当該家具本体１１２が収容部１１１に対して出し入れ自在な状態で係合している。すなわち、図示はしないが、収容部１１１と家具本体１１２との間に、第１実施例で記載したようなスライド手段（レール・係合部）が組み込まれた状態となっている。
さらに、収容部１１１は、当該収容部１１１の配置箇所と階段下り口１０４との間で回転移動可能に構成されている。
【００７３】
収容部１１１の配置箇所は、階段ホール１０２の壁１０２ｂに形成された凹部１０２ｃである。凹部１０２ｃは、図１１に示すように、壁１０２ｂを凹ませて形成された箇所を指しており、階段ホール１０２側および階段下り口１０４側に開口している。なお、当該凹部１０２ｃは、収容部１１１を収容可能な高さ・幅・奥行寸法に形成されている。
そして、凹部１０２ｃの天面および底面と、収容部１１１の上面および下面との間に回転軸１１３が設けられている。
【００７４】
より詳細には、凹部１０２ｃと収容部１１１とが回転軸１１３を介して連結されており、収容部１１１は、回転軸１１３の軸回りに回転することによって凹部１０２ｃに対して出し入れされる。
回転軸１１３は、凹部１０２ｃおよび収容部１１１の幅方向一端部（階段空間１０３側）に設けられている。そして、収容部１１１を、階段ホール１０２側に向かって回転移動させることができ、当該収容部１１１によって階段下り口１０４を塞ぐことができる。
【００７５】
家具本体１１２は、上下左右を囲む枠板と、左右の枠板間に架設される棚板とからなる箱状の収納棚として形成されている。また、当該家具本体１１２は、物品を収納するための収納部１１２ａを有する。当該収納部１１２ａは前方に向かって開口している。なお、本実施例においては棚板が二枚であり、収納部１１２ａは三つ形成されている。
【００７６】
以上のような構成の通路用家具１１０によって階段下り口１０４を塞ぐ際は、収容部１１１を凹部１０２ｃから引き出して回転移動させ、階段下り口１０４と直交させるように配置する。さらに、家具本体１１２を収容部１１１から引き出してスライド移動させ、手摺１０２ａに沿って配置することができる。すなわち、家具本体１１２を収容部１１１から引き出して、通路用家具１１０自体の幅を延長させることができる。
なお、収容部１１１を凹部１０２ｃから引き出した際に、必要以上に回転しないように、例えば床面や回転軸１１３の付近等に適宜ストッパーを設けることが望ましい。
また、例えば、家具本体１１２の下面にキャスター等を取り付けて、スムーズに移動できるようにしてもよい。
【００７７】
以上のような通路用家具１１０は、収容部１１１によって階段下り口１０４を塞げるように構成されているので、ペットや幼児等が階段下り口１０４を通過して階段ホール１０２から階段空間１０３に進行することを制限できる。すなわち、階段を下りることを制限できる。
また、家具本体１１２によって柵状の手摺１０２ａの隙間を塞げるように構成されているので、例えば階段ホール１０２の冷気が、手摺１０２ａの柵の隙間から階段空間１０３側に流れることを抑制できる。
【００７８】
〔第８実施例〕
次に、図面を参照して第８実施例について説明する。なお、説明の便宜上、上述した各実施例とは異なる構成部分のみについて説明する。
より詳細には、本実施例においては、図１２に示すように、部屋として階段のある階段室１２１を挙げ、一方の領域として、階段を上った先にある階段ホール１２２を挙げ、他方の領域として、階段空間１２３を挙げる。また、一方の領域と他方の領域とを結ぶ通路として階段の下り口１２４を挙げる。
すなわち、部屋である階段室１２１は、一方の領域である階段ホール１２２と、他方の領域である階段空間１２３と、通路である階段の下り口１２４と、を備える。そして、当該階段室１２１には、通路用家具１３０が設置されている。
【００７９】
そして、本実施例では、階段下り口１２４付近の階段ホール１２２の側辺に、手摺の代わりに、通路用家具１３０が設置されている。
本実施例の通路用家具１３０は、階段下り口１２４の周囲に配置される収容部１３１と、収容部１３１に対して出し入れ自在に収容される家具本体１３２と、を備える。また、家具本体１３２は、収容部１３１に対して出し入れされる際にスライド移動するように構成されている。さらに、収容部１３１と家具本体１３２は、当該家具本体１３２が収容部１３１に対して出し入れ自在な状態で係合している。すなわち、図示はしないが、収容部１３１と家具本体１３２との間に、第１実施例で記載したようなスライド手段が組み込まれた状態となっている。
【００８０】
収容部１３１は、階段ホール１２２の側辺に沿って、かつ階段ホール１２２の壁１２２ｂに当接して設けられている。また、当該収容部１３１は、物品を収納するための収納部１３１ａ，１３１ｂを有する。
収納部１３１ａは、収容部１３１の壁１２２ｂ側に設けられる箱状の収納棚であり、収容部１３１全体の厚みに近い奥行寸法に設定されている。また、階段ホール１２２側に開口している。さらに本実施例においては棚板が一枚であり、上下二つの収納スペースが形成されている。
収納部１３１ｂは、家具本体１３２と重なり合うようにして配置され、かつ収容部１３１の階段下り口１２４側に設けられる箱状の収納棚であり、収容部１３１全体の厚み分の半分程度の奥行寸法に設定されている。また、通常時は家具本体１３２によって閉塞され、階段下り口１２４の塞ぎ時に、階段ホール１２２側に開口する。さらに本実施例においては棚板が二枚であり、上下三つの収納スペースが形成されている。
なお、当該収容部１３１は、全体として、上下左右を囲む枠板と、左右の収納部１３１ａ，１３１ｂとを仕切る仕切り板と、収納部１３１ａ，１３１ｂを上下に仕切る棚板とから箱状に形成されている。そして、階段下り口１２４側の枠板のみ、家具本体１３２が出し入れされる分の開口を有している。
【００８１】
家具本体１３２は、上下左右を囲む枠板と、左右の枠板間に架設される棚板とからなる箱状の収納棚として形成されている。また、当該家具本体１３２は、収容部１３１に対し、収容部１３１の収納部１３１ｂと重なり合うようにして収容されている。そして、収容部１３１に収容され、かつ収納部１３１ｂと家具本体１３２とを重ね合わせた状態の厚みが、収容部１３１全体の厚みと略等しく設定されている。
また、当該家具本体１３２は、物品を収納するための収納部１３２ａを有する。当該収納部１３２ａは前方に向かって開口している。なお、本実施例においては棚板が二枚であり、上下三つの収納スペースが形成されている。
また、当該家具本体１３２は、収容部１３１を構成する上下の枠板間に配置されるため、収容部１３１から引き出した際には、その下面と階段ホール１２２の床面との間に、収容部１３１の枠板分の隙間が形成されることになる。
【００８２】
以上のような構成の通路用家具１３０によって階段下り口１２４を塞ぐ際は、家具本体１３２を収容部１３１から引き出してスライド移動させ、階段下り口１２４と直交させるように配置する。
なお、家具本体１３２を引き出した際に、必要以上にスライドしないように、例えば床面等に適宜ストッパーを設けることが望ましい。
【００８３】
以上のような通路用家具１３０は、家具本体１３２によって階段下り口１２４を塞げるように構成されているので、ペットや幼児等が階段下り口１２４を通過して階段ホール１２２から階段空間１２３に進行することを制限できる。すなわち、階段を下りることを制限できる。
また、手摺の代わりに収容部１３１が設けられるので、例えば階段ホール１２２の冷気が、階段空間１２３側に流れることを抑制できる。
【００８４】
上述の各実施例によって示された本実施の形態によれば、以下のような効果を奏する。なお、本実施の形態における各実施例の各構成にはそれぞれ符号が付与されているが、ここでの符号は、文章判読の容易性を重視して適宜省略している。本実施の形態では、各実施例の主要な各構成と符号との間にある程度の規則性（一の位が共通）を持たせたので、下記の［符号の説明］の項目を参照されたい。例を挙げれば「通路用家具１０，３０，４０，５０，６０，７０，９０，１１０」と符号が付与されるところを、「通路用家具１０」と省略している。
【００８５】
本実施の形態によれば、収容部１１から家具本体１２を出し入れし、当該家具本体１２によって一方の領域２と他方の領域３とを結ぶ通路４を必要に応じて塞ぐことができる。すなわち、例えばペットや幼児が一方の領域２から他方の領域３に進行することを防止できる。また、ペットや幼児の進行を制限する機能だけでなく、収容部１１と家具本体１２のうち少なくとも一方は、物品Ｂ１，Ｂ２を収納するための収納部１１ａ，１２ａを有するので、進行を制限する機能を使用しなくなった後も、収納部１１ａを日常的に使用できる。これによって、長期的な観点に立った場合における有用性に優れる。
また、収容部１１を一方の領域２と他方の領域３とを結ぶ通路４の周囲に配置すれば、収容部１１に収容された家具本体１２によって当該通路４を塞ぐことができるので、住宅等の建物内において一方の領域２と他方の領域３とこれらを結ぶ通路４のある場所であれば、どのような場所にも適用できて汎用性が高い。
【００８６】
また、通路用家具１０は薄型家具であるので、通路４の周囲に設置しても通行の妨げとなりにくい。そして、薄型家具である通路用家具１０の収容部１１が、通路４の周囲の垂直面に固定されているので、通路用家具１０単体では自立が困難であっても、当該通路用家具１０を通路４の周囲に確実に設置することができる。
また、収容部１１と家具本体１２は、当該家具本体１２が収容部１１に対して出し入れ自在な状態で係合しているので、家具本体１２を、収容部１１から離間しないようにしながら当該収容部１１に対して出し入れすることができる。そのため、家具本体１２の出し入れがしやすい。
【００８７】
また、家具本体１２は、収容部１１に対して、当該収容部１１と通路４との間で出し入れされる際にスライド移動するので、収容部１１を、一方の領域２と他方の領域３と通路４を含む周囲の構造に合わせて適宜配置できる。すなわち、建物内において、家具本体１２がスライド移動するタイプの通路用家具１０に適した場所であれば、その場所に当該通路用家具１０を設置することができるので、汎用性が高い。
【００８８】
また、通路用家具１０の収容部１１は、通路４の周囲に配置され、家具本体１２は、収容部１１から出されて通路４を塞ぐ際に通路４と直交して配置されるので、家具本体１２によって一方の領域２と他方の領域３とを結ぶ通路４を必要に応じて塞ぐことができる。すなわち、例えばペットや幼児が一方の領域２から他方の領域３に進行することを防止できる。また、ペットや幼児の進行を制限する機能だけでなく、収容部１１と家具本体１２のうち少なくとも一方は、物品Ｂ１，Ｂ２を収納するための収納部１１ａ，１２ａを有するので、進行を制限する機能を使用しなくなった後も、収納部１１ａ，１２ａを日常的に使用できる。これによって、長期的な観点に立った場合における有用性に優れる。
また、収容部１１を一方の領域２と他方の領域３とを結ぶ通路４の周囲に配置すれば、収容部１１に収容された家具本体１２によって当該通路４を塞ぐことができるので、建物内において一方の領域２と他方の領域３とこれらを結ぶ通路４のある場所であれば、どのような場所にも適用できて汎用性が高い。
【００８９】
また、家具本体３２は、収容部３１に対して、当該収容部３１と通路２４ａとの間で出し入れされる際に回転移動するので、収容部３１を、一方の領域２と他方の領域３と通路４を含む周囲の構造に合わせて適宜配置できる。すなわち、建物内において、家具本体３２が回転移動するタイプの通路用家具３０に適した場所であれば、その場所に当該通路用家具３０を設置することができるので、汎用性が高い。
【００９０】
また、通路用家具４０，５０は、通路２４ｂの周囲に、当該通路２４ｂを挟んで複数配置されているので、通路２４ｂが幅広であっても、複数の通路用家具４０，５０によって確実に塞ぐことができる。
【００９１】
また、家具本体６２は、家具本体６２の通路側端面に開口して形成される補助収容部６３と、この補助収容部６３に対して出し入れ自在に収容され、当該家具本体６２の総幅員を延長させるための延長部６４とを有するので、延長部６４を補助収容部６３から出せば、幅広の通路２４ｂに対して適用させることができる。
【００９２】
また、鉛直状態から水平状態に回転させることで使用される作業台７３，７４，７５を備えるので、通路の周囲または通路上で作業台７３，７４，７５を使用することができる。すなわち、ペットや幼児の進行を制限する機能を使用しなくなった後も、作業台７３，７４，７５を日常的に使用できるので、長期的な観点に立った場合における有用性に優れる。
【００９３】
また、収容部１１１は、当該収容部１１１の配置箇所と通路１０４との間で回転移動可能に構成されているので、収容部１１１自体を、通路１０４を塞ぐ用途で使用することができる。また、家具本体１１２は、回転移動する収容部１１１に対して、当該収容部１１１と通路１０４との間で出し入れされる際にスライド移動させることができる。これによって、収容部１１１と家具本体１１２とで通路１０４や、通路１０４の付近の手摺１０２ａの隙間を塞いだり、覆ったりすることができるようになり、家具本体１１２だけで通路１０４を塞ぐよりも、より広い範囲で通路１０４を塞ぐことができる。
【符号の説明】
【００９４】
１，２１，８１，１０１，１２１・・・部屋（階段室）
１ａ，２１ａ・・・壁
２，８２，１０２，１２２・・・一方の領域（ダイニングルーム、階段ホール）
３，８３，１０３，１２３・・・他方の領域（キッチンルーム、階段空間）
３ａ・・・作業スペース
４，２４ａ，２４ａ，８４，１０４，１２４・・・通路（階段下り口）
５，２５・・・システムキッチン
９，２９・・・隙間収納家具
１０，３０，４０，５０，６０，７０，９０，１１０，１３０・・・通路用家具
１１，３１，４１，５１，６１，７１，９１，１１１，１３１・・・収容部
１１ａ，７１ａ，１３１ａ，１３１ｂ・・・収納部
１２，３２，４２，５２，６２，７２，９２，１１２，１３２・・・家具本体
１２ａ，９２ａ，１１２ａ，１３２ａ・・・収納部
３３，１１３・・・回転軸
【図１】
2015188599.tif 000003
【図２】
2015188599.tif 000004
【図３】
2015188599.tif 000005
【図４】
2015188599.tif 000006
【図５】
2015188599.tif 000007
【図６】
2015188599.tif 000008
【図７】
2015188599.tif 000009
【図８】
2015188599.tif 000010
【図９】
2015188599.tif 000011
【図１０】
2015188599.tif 000012
【図１１】
2015188599.tif 000013
【図１２】
2015188599.tif 000014